(57)【特許請求の範囲】
【請求項１】
原稿が載置される原稿載置部と、
上記原稿載置部の下側に設けられ、原稿が排出される原稿排出部と、
上記原稿載置部と上記原稿排出部との間を読取位置を経て連結する第１搬送路と、
上記原稿載置部の上側に設けられ、原稿を装置外に露出させるための開口部と、
上記開口部と連続的に形成されたスイッチバック搬送路と、
上記第１搬送路の上記読取位置の下流側から分岐され、上記スイッチバック搬送路と連結する第２搬送路と、
少なくとも上記第１搬送路及び上記スイッチバック搬送路に設けられ、原稿を搬送する搬送手段と、
上記第１搬送路と上記第２搬送路との分岐位置に配設され、該分岐位置において、原稿が搬送される搬送ルートを第１搬送路を通るルート又は第２搬送路を通るルートのいずれかに切り換える切換手段と、
上記原稿載置部に載置された原稿の有無を検知する第１検知手段と、
上記第１検知手段による検知結果に基づいて原稿載置部から上記第１搬送路へ給紙される原稿が最終頁原稿であるかどうかを判定する第１判定手段と、
上記第１判定手段により第１搬送路へ給紙される原稿が最終頁原稿であると判定されたことを条件に、上記読取位置において画像が読み取られた最終頁原稿の少なくとも一部を上記第２搬送路を通じて上記スイッチバック搬送路の開口部から装置外へ排出させるように上記搬送手段及び上記切換手段を制御する制御手段と、を具備してなる原稿搬送装置。
【請求項２】
上記原稿載置部に載置された原稿のサイズを検知する第２検知手段と、
上記第２検知手段による検知結果に基づいて上記原稿載置部に載置された原稿のサイズが既定サイズ未満であるかどうかを判定する第２判定手段と、を更に備え、
上記制御手段が、上記第２判定手段により原稿のサイズが上記既定サイズ未満であると判定されたことを条件に、該原稿が最終頁原稿であるかどうかに関係なく、上記読取位置において画像が読み取られた原稿を上記第２搬送路を通じて上記スイッチバック搬送路の開口部から装置外へ排出するように上記搬送手段及び上記切換手段を制御するものである請求項１に記載の原稿搬送装置。
【請求項３】
上記切換手段が、装置本体に揺動可能に設けられ、上記分岐位置において原稿を第１搬送路又は第２搬送路のいずれかに案内する案内部材と、該案内部材を駆動させる駆動手段とを含んでなる請求項１又は２に記載の原稿搬送装置。
【請求項４】
上記第１搬送路が、縦断面視で横向き略Ｕ字形状に形成され、上記原稿載置部から上記原稿排出部へ原稿をＵターン搬送するものであり、
上記第２搬送路が、上記第１搬送路のＵ字形状の直線部分の下側部分の第１分岐位置から分岐され、上記第１搬送路のＵ字形状の直線部分の上側部分の第２分岐位置で交差し、該第２分岐位置において上記スイッチバック搬送路の進入口と連結するものである請求項１から３のいずれかに記載の原稿搬送装置。
【請求項５】
上記開口部から装置外へ排出された原稿を支持する原稿支持部が開口部の出口側に設けられてなる請求項１から４のいずれかに記載の原稿搬送装置。
【請求項６】
上記開口部から装置外へ排出された原稿を挟むようにして保持する原稿保持部材が開口部の出口側に設けられてなる請求項１から５のいずれかに記載の原稿搬送装置。
【請求項７】
請求項１から６のいずれかに記載の原稿搬送装置と、上記読取位置を通過する原稿の画像を読み取る画像読取手段とを具備してなる画像読取装置。
【発明の詳細な説明】
【技術分野】
【０００１】
本発明は、原稿載置部とその下側に設けられた原稿排出部とを連結する搬送路を通じて、原稿載置部に載置された原稿を原稿排出部へ搬送する原稿搬送装置に関し、特に、原稿載置部の上側にスイッチバック搬送路と連続する開口部が設けられ、原稿の搬送過程において、原稿をスイッチバック搬送するよう構成された原稿搬送装置及びこれを備えてなる画像読取装置に関する。
【背景技術】
【０００２】
従来より、スキャナ装置（画像読取装置）、複写機、ファクシミリ装置、或いはこれらの各機能を併有する複合機（多機能装置とも称される）などの画像処理装置において、給紙トレイ（原稿載置部）にセットされた複数枚の原稿を一枚ずつ取り出して搬送路へ給紙し、読取位置を経由して排紙トレイへ原稿を自動搬送するＡＤＦ（ADF：Auto Document Feeder）と呼ばれる原稿搬送装置が備えられたものが広く知られている。このような原稿搬送装置には、例えば、両面画像を読み取る際に、読取位置に対して原稿の表裏面を反転させるために、所謂スイッチバック搬送機構が設けられたものが公知である（特許文献５参照）。
【０００３】
ところで、上記原稿搬送装置は利用者の目線よりも下方に設置されていることが多い。そのため、排紙トレイが給紙トレイの下側に配置されているような原稿搬送装置においては、排紙トレイに排出された原稿が給紙トレイによって隠されることになる。利用者の注意は排紙された原稿よりも、例えば読み取られた画像データやコピー画像が形成された複写物に偏りがちになるため、利用者は原稿の存在を忘れ、排紙トレイの原稿を取り忘れるという事態が従来から生じていた。
【０００４】
上述した原稿の取り忘れを防止する手法として、種々の技術が提案されている。例えば、特許文献１には、排出された原稿が積載される原稿受けに原稿排出センサを設け、該原稿受けに排出された原稿が排出センサによって検出されてから所定時間経過したときに、装置本体に設けられたスピーカを鳴動させる技術が開示されている。また、特許文献２には、同様に所定時間経過したときに、原稿を取り忘れている旨を表示パネルに表示する技術が開示されている。前者の技術は聴覚的に、後者の技術は視覚的に注意を喚起して、原稿の取り忘れ防止を図ろうとするものである。
【０００５】
また、特許文献３には、給紙皿の下側に配置された排紙皿を該排紙皿の後端側へ移動させる機構が設けられた自動原稿送り装置が開示されている。また、特許文献４には、原稿読み取り動作の終了後に、給紙トレイを上方へ上昇させる機構が設けられた自動原稿搬送装置が開示されている。これらの各装置は、給紙トレイにより隠された排紙トレイ上の原稿の視認性を良くすることにより、原稿の取り忘れ防止を促すものである。
【０００６】
【特許文献１】特開平８−８７１４１号公報
【特許文献２】特開２００１−３１２１０６号公報
【特許文献３】特開２００２−６２６９３号公報
【特許文献４】特開２００５−１５１２２号公報
【特許文献５】特開平１１−１５７７５６号公報
【発明の開示】
【発明が解決しようとする課題】
【０００７】
特許文献１及び２に記載の如く、スピーカ音を鳴動させ或いは原稿取り忘れの旨を表示させることにより、利用者に注意を喚起するような間接的な手法よりも、特許文献３或いは４に記載の機構によって、原稿排紙トレイに排紙された原稿を直接的に利用者に視認させる手法の方が、利用者に原稿の存在を強く印象づけることができるため、原稿の取り忘れ防止効果は大きい。しかしながら、スイッチバック搬送機構が設けられた原稿搬送装置（特許文献５参照）において、原稿の取り忘れ防止を図るべく、特許文献３或いは４に記載の機構を設けると、原稿搬送装置の内部機構が複雑化し、装置規模が拡大することになり、問題である。
【０００８】
本発明は、かかる問題に鑑みてなされたものであり、スイッチバック搬送機構を備えた原稿搬送装置において、装置の複雑化、装置規模の拡大を伴わず、排出された原稿を利用者に直接視認させることにより、原稿の取り忘れ防止を好適に喚起することのできる原稿搬送装置を提供することを目的とする。
【課題を解決するための手段】
【０００９】
(1)本発明は、原稿が載置される原稿載置部と、上記原稿載置部の下側に設けられ、原稿が排出される原稿排出部と、上記原稿載置部と上記原稿排出部との間を読取位置を経て連結する第１搬送路と、上記原稿載置部の上側に設けられ、原稿を装置外に露出させるための開口部と、上記開口部と連続的に形成されたスイッチバック搬送路と、上記第１搬送路の上記読取位置の下流側から分岐され、上記スイッチバック搬送路と連結する第２搬送路と、少なくとも上記第１搬送路及び上記スイッチバック搬送路に設けられ、原稿を搬送する搬送手段と、上記第１搬送路と上記第２搬送路との分岐位置に配設され、該分岐位置において、原稿が搬送される搬送ルートを第１搬送路を通るルート又は第２搬送路を通るルートのいずれかに切り換える切換手段と、上記原稿載置部に載置された原稿の有無を検知する第１検知手段と、上記第１検知手段による検知結果に基づいて原稿載置部から上記第１搬送路へ給紙される原稿が最終頁原稿であるかどうかを判定する第１判定手段と、上記第１判定手段により第１搬送路へ給紙される原稿が最終頁原稿であると判定されたことを条件に、上記読取位置において画像が読み取られた最終頁原稿の少なくとも一部を上記第２搬送路を通じて上記スイッチバック搬送路の開口部から装置外へ排出させるように上記搬送手段及び上記切換手段を制御する制御手段と、を具備してなるものである。
【００１０】
本原稿搬送装置は、原稿載置部の下側に原稿排出部が設けられ、原稿載置部の上側に開口部が設けられている。原稿載置部と原稿排出部とは第１搬送路で連結されている。スイッチバック搬送路は開口部と連続するように設けられ、第１搬送路の読取位置の下流側から分岐する第２搬送路が上記スイッチバック搬送路に連結されている。なお、上記開口部はスイッチバック搬送路の終端に設けられている。
【００１１】
片面読み取りのようにスイッチバック搬送を要しない場合は、切換手段によって、原稿の搬送ルートが、第１搬送路を通るルートに切り換えられる。原稿載置部に載置された最終頁原稿を除く原稿は１枚ずつ第１搬送路へ給紙され、搬送手段により第１搬送路を搬送されて、分岐位置及び読取位置を通過して、原稿排出部に排出される。
【００１２】
ここで、原稿載置部から第１搬送路へ供給される原稿が最終頁原稿であると判定されると、切換手段が制御されて、読取位置を通過した原稿の搬送ルートは、第２搬送路及びスイッチバック搬送路を通るルートに切り換えられる。原稿載置部から第１搬送路に給紙され、搬送手段によって、読取位置の下流側の分岐位置まで搬送された最終頁原稿は、第２搬送路へ進入するように案内される。最終頁原稿が第２搬送路に進入すると、その原稿は、スイッチバックパス搬送路へ搬送されて、開口部から装置外へ露出するようにして排出される。
【００１３】
一方、両面読み取りのようにスイッチバック搬送を要する場合は、切換手段が制御されることにより、分岐位置において、原稿が第１搬送路から第２搬送路へ進入するように、原稿の搬送ルートが切り換えられる。原稿載置部に載置された最終頁原稿を除く原稿は１枚ずつ第１搬送路へ給紙され、搬送手段によって第１搬送路を通じて読取位置の下流側の分岐位置まで搬送される。そして、該分岐位置において、第１面が読み取られた原稿が第１搬送路から第２搬送路へ案内される。これにより、原稿が第２搬送路へ進入される。
【００１４】
原稿が第２搬送路に進入すると、その原稿はスイッチバックパスに退避されて戻される。即ち、スイッチバック搬送される。これにより、原稿の先端と後端とが逆転される。その後、原稿は、搬送手段によって第１搬送路の上流側へ合流される。そして、再び搬送手段によって第１搬送路を搬送され、読取位置に導かれる。そして、原稿の第２面が読取位置に対向した状態で搬送される。
【００１５】
その後、第２面が読取位置を通過した原稿は、切換手段により切り換えられた第２搬送路を通るルートを通って再び第１搬送路から第２搬送路へ進入するように、前述と同様に案内される。これにより、該原稿は、再び第２搬送路へ進入する。そして、第２搬送路に進入した原稿は、再びスイッチバックパスへ退避されて、先端と後端とが再び逆転されて第１搬送路へ戻され、第１面を読取位置に対向させて第１搬送路を搬送される。このとき、第１搬送路の読取位置の下流側の分岐位置では、制御手段により切換手段が制御されることにより、原稿の搬送ルートが第１搬送路を通るルートに切り換えられる。これにより、原稿は第２搬送路に案内されずに、原稿排出部へ案内されて、該原稿排出部に排出される。
【００１６】
ここで、原稿載置部から第１搬送路へ供給される原稿が最終頁原稿であると判定されると、前述と同様のルートを辿って原稿が搬送され、読取位置において第１面及び第２面が読み取られ、その後、先端と後端とが再び逆転されて第１搬送路へ戻され、第１面を読取位置に対向させて第１搬送路を搬送される。このとき、制御手段によって切換手段が制御されて、原稿の搬送ルートが第２搬送路を通るルートに切り換えられる。従って、読取位置を通過した最終頁原稿は、第２搬送路へ案内されて、第２搬送路へ進入する。
【００１７】
原稿が第２搬送路に進入すると、その原稿は、制御手段により制御される搬送手段によってスイッチバック搬送路へ待避されるが、スイッチバック搬送されることなく、その終端に位置する開口部から装置外へ露出するようにして排出される。
【００１８】
なお、原稿載置部に載置された原稿の積載順序と原稿排出部に排出された原稿の積載順序を整合させる必要がない場合は、読取位置に第２面を対向させて原稿が搬送された後、再び第２搬送路に原稿を進入させることなく、原稿排出部へ排出させてもよい。もちろん、この場合の最終頁原稿は開口部から装置外へ排出される。
【００１９】
(2)また、本発明は、上記原稿載置部に載置された原稿のサイズを検知する第２検知手段と、上記第２検知手段による検知結果に基づいて上記原稿載置部に載置された原稿のサイズが既定サイズ未満であるかどうかを判定する第２判定手段と、を更に備え、上記制御手段が、上記第２判定手段により原稿のサイズが上記既定サイズ未満であると判定されたことを条件に、該原稿が最終頁原稿であるかどうかに関係なく、上記読取位置において画像が読み取られた原稿を上記第２搬送路を通じて上記スイッチバック搬送路の開口部から装置外へ排出するように上記搬送手段及び上記切換手段を制御するものであってもよい。
【００２０】
原稿載置部に載置された原稿のサイズが第２検知手段により検知されると、検知結果に基づいて、原稿のサイズが既定サイズ未満であるかどうかの判定処理が行われる。この判定により、原稿載置部に載置された原稿が予め定められた既定サイズより小さいと判定された場合は、その原稿が最終頁原稿であるかどうかにかかわらず、給紙されたすべての原稿がスイッチバック搬送路へ搬送されて、開口部から装置外へ露出される。原稿サイズが小さい場合は、原稿の取り忘れという問題に加えて、原稿排出部に手を差し入れて原稿を掴むのが困難であるために、原稿を取り出すのが煩わしいという問題がある。また、複数原稿の場合は、原稿を掴み損ねて取りこぼしてしまい、そのまま原稿を原稿排出部に置き去りにしてしまう場合もあり得る。従って、すべての原稿が開口部から装置外へ排出されることで、原稿の取り忘れ防止に加え、原稿の取り出しの容易化及び原稿の取り忘れの防止が実現される。
【００２１】
(3)また、上記切換手段の具体例としては、装置本体に揺動可能に設けられ、上記分岐位置において原稿を第１搬送路又は第２搬送路のいずれかに案内する案内部材と、該案内部材を駆動させる駆動手段とを含んでなるものが考えられる。
【００２２】
制御手段により駆動手段が駆動制御されることにより、該駆動手段の駆動力が案内部材に伝達されて、該案内部材が揺動される。案内部材が揺動されることにより、分岐位置において第１搬送路又は第２搬送路のいずれか一方が塞がれ、他方が開放される。このように、案内部材及び駆動手段によって、原稿の搬送ルートの切換が好適に実現され得る。
【００２３】
(4)また、本発明は、上記第１搬送路が、縦断面視で横向き略Ｕ字形状に形成され、上記原稿載置部から上記原稿排出部へ原稿をＵターン搬送するものであり、上記第２搬送路が、上記第１搬送路のＵ字形状の直線部分の下側部分の第１分岐位置から分岐され、上記第１搬送路のＵ字形状の直線部分の上側部分の第２分岐位置で交差し、該第２分岐位置において上記スイッチバック搬送路の進入口と連結するものである場合に、好適であり、最終頁原稿の円滑な搬送が可能となる。
【００２４】
(5)また、上記開口部から装置外へ排出された原稿を支持する原稿支持部が開口部の出口側に設けられてなることが望ましい。これにより、開口部から排出された原稿がその自重により原稿載置部への垂れ落ちることを防止して、退避された原稿の誤給紙を回避することができる。更に、開口部から排出された複数の原稿の支持も可能となる。
【００２５】
(6)また、上記開口部から装置外へ排出された原稿を挟むようにして保持する原稿保持部材が開口部の出口側に設けられておれば、簡易な構成で原稿載置部への原稿の垂れ落ちを防止することができる。
【００２６】
(7)また、本発明にかかる画像読取装置は、上記原稿搬送装置と、上記読取位置を通過する原稿の画像を読み取る画像読取手段とを具備してなるものである。
【発明の効果】
【００２７】
本発明の原稿搬送装置及び画像読取装置によれば、原稿載置部に載置された原稿のうち、最終頁原稿を除く原稿は原稿載置部の下側に設けられた原稿排出部へ排出される。そして、最終頁原稿は、スイッチバック搬送路を経て、原稿載置部の上側に設けられた開口部から原稿載置部に隠されない位置、即ち、利用者の目に留まり易い位置に露出するように排出される。これにより、利用者に対して原稿を直接視認させて、視覚的に原稿の存在を強く印象付けることができ、原稿排出部に排出された原稿の取り忘れ防止を好適に喚起させることができる。その結果、原稿の取り忘れが減少される。
【００２８】
また、原稿載置部に載置された原稿のサイズが既定サイズ未満であると判定された場合は、その原稿が最終頁原稿であるかどうかにかかわらず、給紙されたすべての原稿が開口部から装置外に排出される。そのため、原稿サイズが小さい場合における原稿排出部からの原稿の取り出しの煩わしさを解消することができる。勿論、原稿の取り忘れ防止も達成される。
【発明を実施するための最良の形態】
【００２９】
以下、適宜図面を参照して本発明の実施形態を説明する。なお、本実施の形態は本発明の一例にすぎず、本発明の要旨を変更しない範囲で、実施形態を適宜変更できることは言うまでもない。
【００３０】
図１は、本発明の実施の形態に係る画像読取装置１の主要な構成を示す縦断面図である。本画像読取装置１は、例えば、コピーやファクシミリ、スキャナ、これらの機能を一体的に備えた多機能装置（ＭＦＤ：Multi Function Device）等において、原稿の画像読取りを行うための画像読取部として実現される。
【００３１】
図１に示すように、画像読取装置１は、ＦＢＳ（Flatbed Scanner）として機能する原稿載置台２に対して、自動原稿搬送機構であるオート・ドキュメント・フィーダ（ＡＤＦ：Auto Document Feeder）３を備えた原稿カバー４が、背面側（紙面後方）の蝶番を介して開閉自在に取り付けられたものである。このＡＤＦ３が本発明に係る原稿搬送装置を構成している。
【００３２】
原稿載置台２には、原稿カバー４と対向する天面にプラテンガラス２０，２１が配設されている。上記原稿カバー４が開かれることにより、プラテンガラス２０，２１が原稿載置台２の上面として露出される。また、原稿カバー４が閉じられることにより、プラテンガラス２０，２１を含めて原稿載置台２の上面全体が覆われる。原稿載置台２の内部には、該プラテンガラス２０，２１に対向するようにして画像読取ユニット２２（画像読取手段）と、該画像読取ユニット２２を支持して搬送するキャリッジ２５とが内蔵されている。
【００３３】
プラテンガラス２０は、画像読取装置１をＦＢＳとして使用する場合に原稿が載置されるものであり、例えば透明なガラス板からなる。原稿載置台２の上面中央には、プラテンガラス２０を露出するための開口が形成されており、該開口から露出されたプラテンガラス２０の領域がＦＢＳにおける原稿読取領域となる。
【００３４】
プラテンガラス２１は、画像読取装置１のＡＤＦ３を使用する場合の読取位置を構成するものであり、例えば透明なガラス板からなる。プラテンガラス２１は、画像読取ユニット２２の主走査方向の長さに対応して、図１の奥行き方向に延設されている。
【００３５】
プラテンガラス２０とプラテンガラス２１との間に、位置決め部材２３が介設されている。位置決め部材２３は、プラテンガラス２１と同様に図１の奥行き方向に延設された長尺の平板状の部材である。位置決め部材２３は、ＦＢＳにおける原稿載置面であるプラテンガラス２０上に原稿が載置される際に、原稿の位置決め基準として用いられる。そのために、位置決め部材２３の上面には、中央位置やＡ４サイズ、Ｂ５サイズ等の各種原稿サイズの両端位置を示す表示が記されている。また、位置決め部材２３の上面には、ＡＤＦ３によりプラテンガラス２１上を通過する原稿をすくい上げてＡＤＦ３に戻すガイド面が形成されている。
【００３６】
画像読取ユニット２２は、光源と、該光源からプラテンガラス２０，２１を通じて原稿に光を照射し、該原稿からの反射光を集光するレンズと、該レンズにより集光された光を受光して電気信号に変換するリニアフォトセンサなどの受光素子とを一体的に備えてなる密着型のＣＩＳ（Contact Image Sensor）イメージセンサ２４（図７参照）を含んでなる。なお、画像読取ユニット２２としては、ＣＩＳイメージセンサ２４に代えて、例えば、縮小光学系のＣＣＤ（Charge Coupled Device）イメージセンサや、ＣＭＯＳ（Complementary Metal-Oxide Semiconductor；相補型金属酸化膜半導体）イメージセンサを適用することができる。また、キャリッジ２５は、走査機構であるベルト駆動機構に連結されており、画像読取ユニット２２をプラテンガラス２０，２１の下方で走査可能に支持している。該キャリッジ２５がキャリッジ用モータ１１２（図７参照）から駆動力を受けてプラテンガラス２０，２１と平行に図１の左右方向へ往復移動することにより、画像読取ユニット２２が同様に往復移動される。
【００３７】
図１に示すように、原稿カバー４の上面には、原稿が載置される給紙トレイ３０（原稿載置部）、及び、原稿が排出される排紙トレイ３１（原稿排出部）が設けられている。給紙トレイ３０と排紙トレイ３１とは搬送路３２（第１搬送路）で連結されている。原稿カバー４に設けられたＡＤＦ３は、給紙トレイ３０から搬送路３２を経て排紙トレイ３１へ原稿を自動的に連続して搬送するものである。該ＡＤＦ３による原稿の搬送過程において、原稿がプラテンガラス２１上を通過し、その間に、該プラテンガラス２１の下方で待機する画像読取ユニット２２が該原稿の画像を読み取るようになっている。
【００３８】
給紙トレイ３０及び排紙トレイ３１は、原稿カバー４の上面において上下二段に設けられている。具体的には、給紙トレイ３０の下側に排紙トレイ３１が設けられている。給紙トレイ３０は、ＡＤＦ３により画像読取りを行う原稿が載置されるためのものであり、複数枚の原稿が、第１面を上向きにした積層状態で給紙方向の先端を搬送路３２に挿入するようにして、給紙トレイ３０上に載置される。
【００３９】
排紙トレイ３１は、上記給紙トレイ３０の下側に上下方向に隔てた位置にあり、原稿カバー４の上面に一体的に形成されている。したがって、ＡＤＦ３から排紙された原稿は、給紙トレイ３０上の原稿と分離した状態で排紙トレイ３１上に第１面を下にして積載されるようにして保持される。
【００４０】
図１に示すように、給紙トレイ３０には、該給紙トレイ３０に載置された原稿のサイズを検出するための複数のセンサが設けられている。詳細には、給紙トレイ３０の図１の左右方向に沿って、吸入ローラ３３側から第１サイズセンサ６１、第２サイズセンサ６２、第３サイズセンサ６３が順次配設されている。これらのサイズセンサは、発光部と受光部とが一体化された反射型のフォトインタラプタであり、発光部から発光され、検出対象物で反射された反射光を受光部で受光したか否かによって検出対象物の有無を検出するものである。したがって、上記サイズセンサが原稿で覆われると、原稿からの反射光が受光部に伝達されて、サイズセンサからオン信号が出力され、原稿で覆われずに露出されると、受光部に光が伝達されずに、サイズセンサからオフ信号が出力される。
【００４１】
上記各サイズセンサは、図２（ａ）に示すように、Ａ４サイズ以上の原稿Ｇ１が給紙トレイ３０に載置された場合にすべてのセンサが覆われ、図２（ｂ）に示すように、Ｂ５サイズの原稿Ｇ２が載置された場合に第３サイズセンサ６３が露出され、第１サイズセンサ６１及び第２サイズセンサ６２が覆われるような位置に配設されている。また、図２（ｃ）に示すようにＡ５サイズの原稿Ｇ３が載置された場合に第１サイズセンサ６１のみが覆われ、Ａ５未満のサイズの原稿が載置された場合にすべてのサイズセンサが露出されるような位置に配設されている。なお、第１サイズセンサ６１、第２サイズセンサ６２、第３サイズセンサ６３が本発明の第２検知手段に相当する。
【００４２】
図１に示すように、ＡＤＦ３の内部には、上記給紙トレイ３０と排紙トレイ３１とを連結するようにして、縦断面視において横向き略Ｕ字形状の搬送路３２が形成されている。この搬送路３２は、ＡＤＦ本体を構成する部材やガイド板等により、原稿が通過可能な所定幅の通路として連続的に形成されている。詳細には、搬送路３２は、給紙トレイ３０から原稿カバー４の一端側（図左側）へ延出され、続いて下方へ反転するように湾曲してプラテンガラス２１上の読取位置に至り、該読取位置から排紙トレイ３１へ向かって延出された形状のものである。搬送路３２は、大別すれば、Ｕ字形状において上下二段の直線部分をなす上側部分３２Ａ及び下側部分３２Ｃと、上側部分３２Ａと下側部分３２Ｃとを連続するようにして湾曲する湾曲部分３２Ｂとの３つの部分からなる。この搬送路３２は、ＡＤＦ３による原稿の片面読取り及び両面読取りに共通して、原稿の搬送経路として用いられる。
【００４３】
上記搬送路３２には、原稿を搬送するための搬送手段が配設されている。詳細には、図に示すように、搬送路３２にそれぞれ設けられた吸入ローラ３３、分離ローラ３４、搬送ローラ３５、及び排出ローラ３６とこれらに圧接するピンチローラ３７とによって搬送手段が構成されている。なお、搬送手段を構成する各ローラ等の構成は一例であり、ローラの数や配置を変更する等、その他の公知の搬送手段に変更できることは勿論である。
【００４４】
図に示すように、搬送路３２の最上流付近には、吸入ローラ３３及び分離ローラ３４が設けられている。吸入ローラ３３は、分離ローラ３４の回転軸と同軸に設けられたアーム２９の先端部に回転自在に設けられている。また、分離ローラ３４は、該吸入ローラ３３から給紙方向へ隔てた位置に、搬送路３２の対向面に当接するようにして回転可能に設けられている。これら吸入ローラ３３及び分離ローラ３４は、原稿搬送用モータ１１３（図７参照）からの駆動力が伝達されて回転駆動されるようになっており、アーム２９も原稿搬送用モータ１１３（図７参照）からの駆動力が伝達されて揺動するようになっている。また、吸入ローラ３３及び分離ローラ３４は同径であり、同じ周速度で回転される。また、分離ローラ３４の対向位置に、分離ローラ３４のローラ面と圧接して、摩擦により原稿を分離する分離パッドが配設されている。
【００４５】
搬送ローラ３５は、搬送路３２の所定位置に複数配設されている。詳細には、分離ローラ３４の直下流側と、搬送路３２の上側部分３２Ａと、搬送路３２の下側部分３２Ｃであって読取位置の直上流側及び直下流側との４箇所に搬送ローラ３５が配置されている。これら搬送ローラ３５は、原稿搬送用モータ１１３（図７参照）からの駆動力が伝達されて回転駆動されるようになっている。上記した搬送ローラ３５の配置は一例であり、搬送ローラ３５の配置を適宜変更できることは勿論である。
【００４６】
また、各搬送ローラ３５の対向位置には、ピンチローラ３７がそれぞれ設けられている。各ピンチローラ３７は、その軸がバネに弾性付勢されることにより、各搬送ローラ３５のローラ面に圧接されている。そして、搬送ローラ３５が回転されると、これに従動してピンチローラ３７も回転される。これらピンチローラ３７により、原稿が搬送ローラ３５に圧接されて、搬送ローラ３５の回転力が原稿に伝達される。
【００４７】
排出ローラ３６は、搬送路３２の最下流付近に配設されており、搬送ローラ３５と同様に、原稿搬送用モータ１１３からの駆動力が伝達されて回転駆動されるようになっている。また、排出ローラ３６の対向位置にもピンチローラ３７がそれぞれ設けられており、該ピンチローラ３７はバネにより弾性付勢されて、排出ローラ３６に圧接されている。
【００４８】
搬送路３２の上側部分３２Ａには、スイッチバックパス３９（スイッチバック搬送路）が連結されている。該スイッチバックパス３９は、搬送路３２の上側部分３２Ａの合流位置３８（第２分岐位置）から、給紙トレイ３０の上側へ向けて斜め上方へ分岐するように形成されている。該スイッチバックパス３９は、本来、両面読取りを行う場合に、読取位置において第１面が読み取られた原稿の先端と後端とを入れ替えて、該原稿を搬送路３２の上側部分３２Ａへ再送するためのものであるが、本実施の形態では、給紙トレイ３０から給紙され、画像読取の終えた最終頁原稿や、Ａ５或いは葉書サイズの原稿などのように読取可能な最大サイズよりも十分に小さいサイズの原稿を装置外へ排出するための搬送路としても用いられる。なお、スイッチバックパス３９を搬送路３２の上側部分３２Ａから給紙トレイ３０の上側に向けて斜め上方へ形成することにより、給紙トレイ３０の上側のスペースを有効活用することができる。また、搬送路３２の給紙トレイ３０側から読取位置側の搬送経路と、スイッチバックパス３９から搬送路３２の読取位置側の搬送経路とが合流位置３８において鋭角に交わるので、合流位置３８において搬送路３２の給紙トレイ３０側からスイッチバックパス３９へ原稿が進入したり、スイッチバックパス３９から戻された原稿が搬送路３２の給紙トレイ３０側へ進入することがない。これにより、合流位置３８において所定の搬送経路へ原稿を搬送する後述の案内フラップ４６（案内部材）の構成が簡易になる。
【００４９】
スイッチバックパス３９の終端４０は、ＡＤＦ３の上面に開口されている。該終端４０は、給紙トレイ３０よりも上側に配置されており、ＡＤＦ３の上面において装置外と連続するように設けられている。該終端４０が、本発明の開口部に相当する。スイッチバックパス３９により構成される搬送経路の距離は、少なくとも両面読取可能な最大サイズの原稿の搬送方向の長さより短く設定されており、スイッチバックパス３９に進入した原稿の一部が、終端４０を超えてＡＤＦ３の外側へ露出するようになっている。したがって、スイッチバックパス３９の搬送経路の距離を、読取可能な最大原稿の搬送方向の長さ以上に確保する必要がない。
【００５０】
上記スイッチバックパス３９の終端４０から給紙トレイ３０側には、該終端４０から連続するようにして、原稿支持部４１が形成されている。該原稿支持部４１は、スイッチバックパス３９の終端４０から露出された原稿を支持するためのものであり、給紙ローラ３３及び分離ローラ３４の上側においてＡＤＦ３の筐体をなしている。ＡＤＦ３の筐体は、給紙ローラ３３及び分離ローラ３４を覆うように形成されており、該筐体として構成された原稿支持部４１は、上記終端４０から給紙トレイ３０側へ向かって、給紙ローラ３３及び分離ローラ３４による給紙位置より上流側に至るまで延出されている。これにより、両面読取りにおいて、スイッチバックパス３９に進入して終端４０からＡＤＦ３の外側へ露出した原稿が、その自重により給紙トレイ３０上へ垂れ落ちて、再び吸入ローラ３３によって給紙されることが防止される。
【００５１】
また、上記スイッチバックパス３９の終端４０には、図３に示すように、該終端４０から給紙トレイ３０側へ向けて延びる原稿押さえ２８（原稿保持部材）が設けられている。該原稿押さえ２８は可撓性のある薄板部材からなり、中央付近で鈍角に折り曲げられて、縦断面視で略への字形状に形成されている。該原稿押さえ２８は終端４０において奥行き方向の略中央に設けられている。原稿押さえ２８の一端は、終端４０の開口を形成するＡＤＦ３の筐体の上側部分に固定されており、他端は、原稿支持部４１に向けて斜め下方へ緩斜するように延びて、該原稿支持部４１に付勢するように当接している。原稿押さえ２８は、スイッチバックパス３９に進入してきた原稿の搬送力によって該原稿の先端が原稿押さえ２８を押し上げることができ、且つ、原稿がスイッチバックパス３９に完全に進入して、開口から露出された場合に、自重によって給紙トレイ３０側へ落ちようとする原稿を挟むようにして保持することができるような付勢力で、原稿支持部４１に圧接されている。
【００５２】
また、上記スイッチバックパス３９には、スイッチバックローラ４２（搬送手段の一例）が配設されている。スイッチバックローラ４２は、原稿搬送用モータ１１３（図７参照）からの駆動力が伝達されて正逆双方向に回転駆動されるようになっている。また、スイッチバックローラ４２の対向位置には、ピンチローラ４３が設けられている。ピンチローラ４３は、その軸がバネに弾性付勢されることにより、スイッチバックローラ４２のローラ面に圧接されており、スイッチバックローラ４２の回転に従動して回転する。このピンチローラ４３により、原稿がスイッチバックローラ４２に圧接されて、スイッチバックローラ４２の回転力が原稿に伝達される。このスイッチバックローラ４２及びピンチローラ４３により、原稿のスイッチバック搬送が実現される。
【００５３】
搬送路３２の下側部分３２Ｃであって読取位置の下流側には、原稿を上記スイッチバックパス３９へ導くためのバイパス４４（第２搬送路）が形成されている。詳細には、バイパス４４は、搬送路３２の下側部分３２Ｃであって読取位置の下流側の分岐位置４５（第１分岐位置）から分岐して、上記合流位置３８で搬送路３２の上側部分３２Ａと連結するように右斜め上方へ向かって形成されている。従って、バイパス４４は、合流位置３８においてスイッチバックパス３９の進入口と連結している。このように、横向き略Ｕ字形状の搬送路３２からスイッチバックパス３９へ分岐する合流位置３８を搬送路３２の上側部分３２Ａに配置し、読取位置の下流側からスイッチバックパス３９へ連結するためのバイパス４４へ分岐する分岐位置４５を搬送路３２の下側部分３２Ｃに配置することにより、搬送路３２の湾曲部分３２Ｂ付近の構成を簡略化することができる。なお、該バイパス４４は、本来、両面読取りを行う場合に、読取位置において第１面が読み取られた原稿をスイッチバックパス３９へ導くためのものであるが、本実施の形態では、画像読取の終えた最終頁原稿や小サイズの原稿を終端４０から装置外へ排出するべく、これらの原稿をスイッチバックパス３９へ導くためにも用いられる。
【００５４】
また、バイパス４４からスイッチバックパス３９への搬送経路が略直線状であるのに対して、バイパス４４から搬送路３２の給紙トレイ３０側への搬送経路は折れ曲げられている。そのため、バイパス３９から合流位置３８に搬送された原稿は、搬送路３２の給紙トレイ３０側へ原稿が進入することなく、スイッチバックパス３９へ直進する。従って、合流位置３８における案内フラップ４６の構成が簡易になる。
【００５５】
また、上記搬送路３２の読取位置からバイパス４４を経てスイッチバックパス３９により形成される搬送経路は、縦断面視においてＳ字形状をなすように形成されている。これにより、搬送路３２の読取位置からバイパス４４を経てスイッチバックパス３９への原稿の搬送が円滑となり、合流位置３８及び分岐位置４５等における紙詰まりが防止される。また、上記搬送路３２のＵ字形状の直線部分の上側部分３２Ａから合流位置３８を経てスイッチバックパス３９により形成される搬送経路も、縦断面視においてＳ字形状をなるように形成されている。これにより、スイッチバックパス３９から合流位置３８を経て搬送路３２の上側部分３２Ａへの原稿の搬送が円滑となり、合流位置３８等における紙詰まりが防止される。また、前述したように２つの搬送経路をＳ字形状とすることにより、合流位置３８における案内フラップ４６の構成が簡易になる。
【００５６】
また、搬送路３２の合流位置３８から、読取位置及び分岐位置４５を経て、バイパス４４から再び合流位置３８に至るループ形状の搬送経路の長さは、読取り可能な最大原稿の搬送方向の長さより長くなるように設定されている。例えば、読取り可能な最大原稿がＡ４サイズであれば搬送方向の長さは２９７ｍｍであり、レターサイズであれば１１インチであり、リーガルサイズであれば１４インチであるので、上記ループ形状の搬送経路の長さがこれらより長くなるように設定される。これにより、両面読取りにおいて、読取位置を通過して合流位置３８へ原稿の先端が進入する際には、該原稿の後端は合流位置３８を必ず通過していることとなるので、合流位置３８における紙詰まり等を防止することができる。
【００５７】
ここで、上記案内フラップ４６について説明する。図１及び図４に示すように、上記合流位置３８には、所望の搬送経路に原稿を案内するための案内フラップ４６（案内部材）が配設されている。案内フラップ４６は、軸４７（図４参照）を中心に揺動可能に配設されており、図４に実線で示した位置と２点鎖線で示した位置に切り替えられるようになっている。案内フラップ４６が実線で示した位置にある場合には、搬送路３２の上側部分３２Ａの給紙トレイ３０側（図右側）から読取位置側（図左側）への搬送経路が連続することとなる。したがって、給紙トレイ３０から給送された原稿は、搬送路３２の上側部分３２Ａの読取位置上流側へ向かって合流位置３８を案内される。一方、案内フラップ４６が２点鎖線で示した位置にある場合には、バイパス４４からスイッチバックパス３９への搬送経路が連続することとなる。したがって、バイパス４４を上側へ向かって搬送される原稿は、スイッチバックパス３９へ進入するように合流位置３８を案内される。
【００５８】
上記案内フラップ４６による搬送経路の切替えは、原稿の当接により行われるようになっている。詳細には、案内フラップ４６は、図４に実線で示したように、搬送路３２の給紙トレイ３０側（図右側）から読取位置側（図左側）への搬送経路が連続する位置にある。そして、バイパス４４を上側へ向かって搬送される原稿が案内フラップ４６に当接することにより、案内フラップ４６が上側に押しやられるようにして、図４に２点鎖線で示した位置へ揺動し、該原稿は搬送路３２を横断するようにしてスイッチバックパス３９へ進入する。原稿がスイッチバックパス３９へ完全に進入すると、原稿による案内フラップ４６への当接がなくなり、案内フラップ４６は、図４に実線で示す位置に復帰する。また、スイッチバックローラ４２が逆転駆動されて、スイッチバックパス３９から合流位置３８に原稿が搬送されると、該原稿は案内フラップ４６に当接するが、該案内フラップ４６は図４に実線で示した位置から下方へは揺動しないので、該原稿は案内フラップ４６に案内されて、搬送路３２の上側部分３２Ａを読取位置側（図左側）へ進入する。なお、スイッチバックパス３９から上側部分３２Ａの給紙トレイ３０側（図右側）へは鋭角に折れ曲がっているので、スイッチバックパス３９から合流位置３８に搬送された原稿が、給紙トレイ３０側へ進入することはない。このようにして、案内フラップ４６は、合流位置３８において所望の搬送経路に原稿を案内可能に配設されている。なお、本実施の形態では、案内フラップ４６は原稿の当接により切り替えられるものとしたが、搬送ローラ等を駆動させる原稿搬送用モータ１１３（図７参照）の駆動力により積極的に案内フラップ４６を揺動させるようにしてもよい。
【００５９】
次に、図１及び図５を用いて、分岐位置４５に配設された案内フラップ４８（案内部材）について説明する。該案内フラップ４８は、軸４９（図５参照）を中心に揺動可能に配設されており、図５に実線で示した位置と２点鎖線で示した位置とに切り替えられるようになっている。案内フラップ４８が実線で示した位置にある場合には、搬送路３２の読取位置側（図左側）から排紙トレイ３１側（図右側）への搬送経路が連続することとなる。このとき、読取位置を通過した原稿は、搬送路３２の下側部分３２Ｃを排紙トレイ３１へ向かって分岐位置４５を案内される。一方、案内フラップ４８が２点鎖線で示した位置にある場合には、搬送路３２の下側部分３２Ｃの読取位置下流側からバイパス４４への搬送経路が連続することとなる。このとき、読取位置を通過した原稿は、バイパス４４へ進入するように分岐位置４５を案内される。
【００６０】
上記案内フラップ４８による搬送経路の切替えは、該案内フラップ４８の軸４９に連結された駆動手段の一例であるフラップ用モータ１１１（図７参照）が駆動制御されることにより行われる。例えば、フラップ用モータ１１１が制御されて、軸４９に対して反時計方向に回転力が作用すると、案内フラップ４８が反時計方向に揺動して、案内フラップ４８が図５に２点鎖線で示した位置、即ち、原稿の搬送経路が搬送路３２の下側部分３２Ｃの読取位置下流側からバイパス４４へ連続する位置に変化する。また、フラップ用モータ１１１が制御されて、軸４９に対して時計方向に回転力が作用すると、案内フラップ４８が時計方向に揺動して、案内フラップ４８が図５に実線で示した位置、即ち、原稿の搬送経路が搬送路３２の下側部分３２Ｃの読取位置下流側から排紙トレイ３１側へ連続する位置に変化する。このようにして、案内フラップ４８は、分岐位置４５において所望の搬送経路に原稿を案内可能に配設されている。なお、本実施の形態では、案内フラップ４８はフラップ用モータ１１１が制御されることにより切り替えられるものとしたが、フラップ用モータ１１１に代えてソレノイド等の駆動手段を適用してもよい。また、案内フラップ４８の軸４９と原稿搬送用モータ１１３（図７参照）とを電磁クラッチなどの駆動伝達機構により連結し、該駆動伝達機構を制御することにより上述の動作を行うようにしてもかまわない。
【００６１】
上記搬送路３２及びバイパス４４には、図１に示すように、原稿の搬送を検知するための複数のセンサが設けられている。詳細には、搬送路３２には、分離ローラ３４の上流側及び下流側に、第１フロントセンサ５０及び第２フロントセンサ５１がそれぞれ配設されており、また、読取位置の直上流側にリアセンサ５２が配設されている。また、バイパス４４には、スイッチバックセンサ５３が配設されている。これら各センサは、所謂光学センサであり、検出する位置の違いにより検出子の形状等が異なる他は同様の構成をなすものなので、第１フロントセンサ５０を例に構成を説明する。
【００６２】
第１フロントセンサ５０は、図６に示すように、搬送路３２の下面から突出するとともに、原稿と接触することにより搬送路３２から退避するように回動する検出子５４と、該検出子５４の回動を検出するフォトインタラプタ５５とからなる。検出子５４は、フォトインタラプタ５５により検知される遮蔽部５６が一体的に形成されており、軸５７を中心に回動自在に設けられている。該検出子５４は、不図示のバネ等の付勢手段により、検出子５４が搬送路３２に突出する位置に、即ち、図において時計回り方向へ弾性付勢されている。したがって、検出子５４に外力が付与されない状態では、図に実線で示すように、検出子５４は搬送路３２に突出し、遮蔽部５６はフォトインタラプタ５５の発光部と受光部との間に位置する。これにより、フォトインタラプタ５５の光伝達が遮断されて、第１フロントセンサ５０がオフとなる。
【００６３】
一方、給紙トレイ３０に原稿が載置されると、該原稿が検出子５４に当接して、該検出子５４を搬送路３２から退避するように回動させる。検出子５４とともに遮蔽部５６も回動され、図に２点鎖線で示すように、遮蔽部５６はフォトインタラプタ５５の発光部と受光部との間から離れる。これにより、フォトインタラプタ５５の光伝達が遮断されなくなり、第１フロントセンサ５０がオンとなる。該第１フロントセンサ５０のオン／オフにより、給紙トレイ３０に原稿が載置されたか否か、即ち、給紙トレイ３０上の原稿の有無が検知される。なお、該第１フロントセンサ５０が本発明の第１検知手段に相当する。
【００６４】
また、分離ローラ３４の直下流に配設された第２フロントセンサ５１は、そのオン／オフにより、搬送路３２に給送された原稿の先端又は後端を検知するためのものである。例えば、第２フロントセンサ５１が原稿の後端を検知してからの搬送ローラ３５の回転数をエンコーダや原稿搬送用モータ１１３のステップ数等によって監視することにより、原稿の後端が合流位置３８を通過したか否かが判断される。
【００６５】
また、読取位置の直上流に配設されたリアセンサ５２は、そのオン／オフにより、搬送路３２を搬送される原稿の先端及び後端を検知するためのものである。リアセンサ５２が原稿の先端又は後端を検知してからの搬送ローラ３５の回転数をエンコーダや原稿搬送用モータ１１３のステップ数等によって監視することにより、原稿の先端又は後端が読取位置に到達したか否かが判断される。画像読取ユニット２２の画像読取りは、このリアセンサ５２の信号に基づいて制御され、原稿の先端が読取位置に到達すれば画像読取りが開始され、原稿の後端が読取位置に到達すれば画像読取りが終了される。
【００６６】
また、バイパス４４に配設されたスイッチバックセンサ５３は、そのオン／オフにより、バイパス４４を搬送される原稿の先端又は後端を検知するためのものである。例えば、スイッチバックセンサ５３が原稿の後端を検知してからの搬送ローラ３５及びスイッチバックローラ４２の回転数をエンコーダや原稿搬送用モータ１１３のステップ数等によって監視することにより、原稿の後端が合流位置３８を通過したか否かが判断される。
【００６７】
以下、上記画像読取装置１の動作を制御する制御部１００について説明する。図７は、画像読取装置１の制御部１００の構成を示している。制御部１００は、ＡＤＦ３，画像読取ユニット２２等を含む画像読取装置１の動作を制御するものである。制御部１００は、図に示すように、ＣＰＵ（Central Processing Unit）１０１、ＲＯＭ（Read Only Memory）１０２、ＲＡＭ（Random Access Memory）１０３、ＥＥＰＲＯＭ（Electrically Erasable and Programmable  ROM）１０４を主とするマイクロコンピュータとして構成されており、バス１０５を介してＡＳＩＣ（Application Specific Integrated Circuit）１０６に接続されている。ここに、ＣＰＵ１０１が、本発明の第１判定手段、第２判定手段に相当する。
【００６８】
ＲＯＭ１０２には、画像読取装置１の各種動作を制御するためのプログラム等が格納されている。ＲＡＭ１０３は、ＣＰＵ１０１が上記プログラムを実行する際に用いる各種データを一時的に記録する記憶領域又は作業領域として使用される。
【００６９】
ＡＳＩＣ１０６は、ＣＰＵ１０１からの指令に従い、案内フラップ４８を駆動させるフラップ用モータ１１１、キャリッジ２５を駆動させるキャリッジ用モータ１１２、ＡＤＦ３の搬送ローラ３５等の各ローラを駆動させる原稿搬送用モータ１１３にそれぞれ通電する相励磁信号等を生成して、該信号をフラップ用モータ１１１、キャリッジ用モータ１１２、原稿搬送用モータ１１３それぞれの駆動回路１１４，１１５，１１６に付与する。駆動回路１１４，１１５，１１６を介して駆動信号がフラップ用モータ１１１、キャリッジ用モータ１１２、原稿搬送用モータ１１３に通電されることにより、フラップ用モータ１１１、キャリッジ用モータ１１２、原稿搬送用モータ１１３の回転制御が行われる。ここに、フラップ用モータ１１１の回転制御を行う駆動回路１１４及び相励磁信号等を生成して該駆動回路１１３に付与するＡＳＩＣ１０６が本発明の制御手段に相当する。
【００７０】
駆動回路１１３は、案内フラップ４８に接続されたフラップ用モータ１１１を駆動させるものである。駆動回路１１３は、ＡＳＩＣ１０６からの出力信号を受けて、フラップ用モータ１１１を回転するための電気信号を生成する。電気信号を受けたフラップ用モータ１１１が回転し、その回転力が案内フラップ４８の軸４９に伝達されることにより案内フラップ４８が揺動される。これにより、原稿の搬送ルートが切り換えられる。
【００７１】
駆動回路１１４は、画像読取ユニット２２を支持するキャリッジ２５に接続されたキャリッジ用モータ１１２を駆動させるものである。駆動回路１１４は、ＡＳＩＣ１０６からの出力信号を受けて、キャリッジ用モータ１１２を回転するための電気信号を生成する。電気信号を受けたキャリッジ用モータ１１２が回転し、キャリッジ用モータ１１２の回転力が周知の走査機構を介して、キャリッジ２５へ伝達されることによりキャリッジ２５が移動され、これにより、画像読取ユニット２２が移動される。
【００７２】
駆動回路１１５は、ＡＤＦ３の分離ローラ３４、搬送ローラ３５、排出ローラ３６，スイッチバックローラ４２の各ローラに接続された原稿搬送用モータ１１３を駆動させるものである。駆動回路１１５は、ＡＳＩＣ１０６からの出力信号を受けて、原稿搬送用モータ１１３を回転するための電気信号を生成する。電気信号を受けた原稿搬送用モータ１１３が回転し、原稿搬送用モータ１１３の回転力がギアや駆動軸等からなる周知の駆動機構を介して、上記各ローラへ伝達される。吸入ローラ３３は駆動伝達機構を介して分離ローラ３４から回転力が伝達されて回転駆動される。
【００７３】
ＡＳＩＣ１０６には、画像読取ユニット２２を構成するＣＩＳイメージセンサ２４が接続されている。ＡＳＩＣ１０６は、ＣＰＵ１０１の指令に基づいて、光源から光を照射するための電気信号や光電変換素子から画像データを出力するためのタイミング信号をＣＩＳイメージセンサ２４に付与する。ＣＩＳイメージセンサ２４は、これら信号を受けて、所定のタイミングで原稿に光を照射し、光電変換素子により変換された画像データを出力する。
【００７４】
搬送路３２、バイパス４４及び給紙トレイ３０に配設された各センサ（第１フロントセンサ５０、第２フロントセンサ５１、リアセンサ５２、スイッチバックセンサ５３、第１サイズセンサ６１，第２サイズセンサ６２、第３サイズセンサ６３）は、図示するように、バス１０５を介してＣＰＵ１０１、ＲＯＭ１０２、ＲＡＭ１０３、ＥＥＰＲＯＭ１０４、ＡＳＩＣ１０６に接続されている。ＣＰＵ１０１によって、上記各センサからのセンサ出力信号の状態が監視され、その状態変化に基づいて上記ＡＳＩＣ１０６に対して所定の指令が出される。
【００７５】
以下、図８〜図１７を参照しながら、本画像読取装置１による片面読取りの動作とともに、制御部１００によって片面読取時に実行される処理手順について説明する。ここに、図８は片面読取時に制御部１００により実行される処理手順を示すフォローチャートであり、図９から図１７は片面読取時の画像読取動作を説明する模式図である。なお、図８中のＳ１、Ｓ２、…は処理手順（ステップ）の番号を示す。
【００７６】
本画像読取装置１は、ＦＢＳとして使用することも、ＡＤＦ３を使用することも可能であるが、ＦＢＳの使用は本発明に特に関連しないので詳細な説明は省略する。ＡＤＦ３を使用する場合には、原稿カバー４を原稿載置台２に対して閉じた状態とする。そして、図９に示すように、給紙トレイ３０に読み取るべき原稿Ｇが載置される。原稿Ｇは、読取面（第１面）が上側となるように、所謂フェイスアップにして給紙トレイ３０に載置される。また、原稿Ｇは１枚であっても複数枚であってもよい。例えば、同じサイズの複数枚の原稿Ｇの画像読取りを行う場合には、各原稿Ｇの第１ページの第１面が上向きとなるように重ね揃えて給紙トレイ３０に載置される。
【００７７】
まず、画像読取装置１に片面読取開始の指示が入力されると（Ｓ１のＹｅｓ側）、続いて、第１フロントセンサ５０により給紙トレイ３０上に原稿Ｇが載置されているか否かが検知される（Ｓ２）。具体的には、第１フロントセンサ５０からのセンサ出力信号に基づいてＣＰＵ１０１によって原稿Ｇの有無が検知される。給紙トレイ３０上に原稿Ｇが載置されていない場合には、画像読取装置１の図示しない表示部に「原稿なし」のエラー表示が行われる（Ｓ３）。
【００７８】
一方、給紙トレイ３０に原稿Ｇが載置されている場合は、ＣＰＵ１０１によって、給紙トレイ３０に配設された第１サイズセンサ６１、第２サイズセンサ６２、第３サイズセンサ６３から出力されるオン信号又はオフ信号が読み取られ、その情報がＲＡＭ１０３に一時的に記憶される。該ＲＡＭ１０３に記憶された情報は後述する原稿のサイズを判定する処理（Ｓ５）に用いられる。
【００７９】
その後、キャリッジ用モータ１１２や原稿搬送用モータ１１３が駆動されて、吸入ローラ３３、分離ローラ３４、搬送ローラ３５、排出ローラ３６、及びスイッチバックローラ４２が所定のタイミングで回転駆動される（Ｓ４）。また、原稿搬送用モータ１１３が駆動されることにより、該駆動力が伝達されて、アーム２９が下方へ下がり、吸入ローラ３３が給紙トレイ３０上の原稿Ｇと圧接する。そして、吸入ローラ３３及び分離ローラ３４の回転により、該原稿Ｇは搬送路３２へ繰り込まれる。給紙トレイ３０に複数枚の原稿Ｇが載置されている場合に、最上位置の原稿Ｇに伴って、その直下の原稿が重送されることがあるが、該原稿は分離ローラ３４の対向位置に設けられた分離パッドにより制止される。
【００８０】
搬送路３２では、搬送ローラ３５及び排出ローラ３６に原稿搬送用モータ１１３からの駆動力が伝達されて、これらが搬送路３２の上流側から下流側へ原稿Ｇを搬送するように回転される。給紙トレイ３０から搬送路３２へ給紙された原稿Ｇは、搬送ローラ３５及びピンチローラ３７にニップされて回転力が伝達されることにより、搬送路３２を搬送され、図１０に示すように、合流位置３８を搬送路３２の読取位置上流側へ向かって搬送される。搬送路３２の給紙トレイ３０側から読取位置側への搬送経路は略直線状であるのに対し、搬送路３２の給紙トレイ３０側からスイッチバックパス３９への搬送経路は鋭角に折れ曲がっているので、給紙トレイ３０から給紙された原稿Ｇがスイッチバックパス３９へ進入することはない。また、合流位置３８からバイパス４４への搬送経路は案内フラップ４６により閉鎖されている。従って、案内フラップ４６により原稿Ｇは合流位置３８を読取位置上流側へ案内される。
【００８１】
続いて、給紙トレイ３０上の原稿ＧのサイズがＡ５サイズ以下であるかどうかが判定される（Ｓ５）。かかる判定処理は、第１サイズセンサ６１、第２サイズセンサ６２、第３サイズセンサ６３からのセンサ出力信号（オン信号又はオフ信号）に基づいて、ＣＰＵ１０１によって行われる。具体的には、ＣＰＵ１０１によって、ＲＡＭ１０３に予め記憶されたオン信号又はオフ信号に関する情報が読み出され、該情報に基づいて上記判定処理が行われる。原稿Ｇのサイズは、すべてのサイズセンサからオン信号が出力されている場合は、Ａ４と判定され、第１サイズセンサ６１及び第２サイズセンサ６２からオン信号が、第３サイズセンサ６３からオフ信号が出力されている場合は、Ｂ５と判定され、第１サイズセンサ６１からオン信号が、第２サイズセンサ６２及び第３サイズセンサ６３からオフ信号が出力されている場合は、Ａ５と判定され、すべてのサイズセンサからオフ信号が出力されている場合は、Ａ５未満であると判定される。なお、本実施の形態では上記ステップＳ５における判定基準をＡ５サイズとしているが、これは任意に定めることができる。このような判定処理（Ｓ５）をＣＰＵ１０１が実行することにより本発明の第２判定手段が具現化される。
【００８２】
ここで、原稿ＧのサイズがＡ５サイズより大きいと判定された場合は（Ｓ５のＮｏ側）、続いて、原稿Ｇが最終頁の原稿（最終頁原稿）であるどうかの判定がＣＰＵ１０１によって行われる（Ｓ６）。かかる判定は、給紙トレイ３０から原稿Ｇが給紙された後の第１フロントセンサ５０のセンサ出力信号の状態に基づいて行われる。例えば、給紙トレイ３０から原稿Ｇが給紙された後に第１フロントセンサ５０がオンからオフに変化したことをもって、最終頁原稿であることが判定される。詳細には、給紙された原稿Ｇの後端が第２フロントセンサ５１を通過したことにより、第２フロントセンサ５１がオンからオフに変化したときに、第１フロントセンサ５０の状態がＣＰＵ１０１によって監視され、そのときの第１フロントセンサ５０がオフである場合に、給紙した原稿Ｇを最終頁原稿と判定し、オンである場合は原稿Ｇが給紙トレイ３０に残っている、即ち、原稿Ｇが最終原稿ではないと判定される。このようにな判定処理（Ｓ６）をＣＰＵ１０１が実行することにより本発明の第２判定手段が具現化される。
【００８３】
上記ステップＳ６で最終頁原稿でないと判定されると（Ｓ６のＮｏ側）、続いて、フラップ用モータ１１１が制御されて、案内フラップ４８が、図１０に示すように、分岐位置４５における搬送経路を搬送路３２の読取位置側から排紙トレイ３１側へ連続するように切り替えられる（Ｓ７）。なお、合流位置３８における案内フラップ４６は、原稿Ｇが当接していない状態では、合流位置３８における搬送経路を搬送路３２の給紙トレイ３０側から読取位置側へ連続させる位置にある。
【００８４】
そして、図１１に示すように、原稿Ｇが搬送路３２の湾曲部３２Ｂにより下側へ反転するように搬送されると、その先端がリアセンサ５２に検知される。原稿Ｇの先端は、リアセンサ５２に検知されて所定時間経過した後に読取位置に到達する。そのタイミングを見計らって、画像読取ユニット２２による原稿Ｇの画像読取りが開始される（Ｓ９）。
【００８５】
図１２に示すように、原稿Ｇは第１面を画像読取ユニット２２に対向するようにして読取位置を通過する。この通過中に、画像読取ユニット２２によって原稿Ｇの第１面の画像が読み取られる。そして、原稿Ｇの後端がリアセンサ５２に検知されて所定時間経過した後に、画像読取ユニット２２による原稿Ｇの画像読取りが終了する（Ｓ１０）。
【００８６】
画像読み取り後の原稿Ｇは、分岐位置４５を案内フラップ４８に案内されて、搬送路３２の排紙トレイ３１側へ向かって搬送される。そして、図１３に示すように、原稿Ｇが排出ローラ３６及びピンチローラ３７にニップされ、搬送路３２から排紙トレイ３１へ排出される。その後、給紙トレイ３０にセットされている次の原稿Ｇが搬送路３２へ給紙され、上述の一連の動作が繰り返されることにより、給紙トレイ３０上の原稿Ｇが１枚ずつ搬送され、画像読取りが行われる。
【００８７】
先のステップＳ５で原稿ＧがＡ５サイズ以下と判定され（Ｓ５のＹｅｓ側）、或いは先のステップＳ６で原稿Ｇが最終頁原稿であると判定された場合は（Ｓ６のＹｅｓ側）、フラップ用モータ１１１が制御されて、案内フラップ４８は、図１４に示すように、分岐位置４５における搬送経路を搬送路３２の読取位置側からバイパス４４側へ連続するように切り替えられる（Ｓ８）。
【００８８】
原稿Ｇが搬送され、上述したように読取位置で画像読取ユニット２２により第１面の画像が読み取られると、図１５に示すように、読み取られた後の原稿Ｇは、案内フラップ４８に案内されて、分岐位置４５を搬送路３２からバイパス４４へ進入する。
【００８９】
バイパス４４に進入した原稿Ｇは、図１６に示すように、案内フラップ４６に当接して案内フラップ４６を上方へ押し上げて、合流位置３８をバイパス４４からスイッチバックパス３９に進入する。つまり、案内フラップ４６は、合流位置３８においてバイパス４４からスイッチバックパス３９への原稿Ｇの直進を許容するように原稿Ｇを案内する。バイパス４４からスイッチバックパス３９への搬送経路は略直線状なので、分岐位置において原稿Ｇは搬送路３２の給紙トレイ３０側へ進入することなく、スイッチバックパス３９に進入するように直進する。そして、原稿Ｇは、スイッチバックローラ４２及びピンチローラ４３にニップされ、スイッチバックローラ４２の回転によりスイッチバックパス３９を終端４０側へ搬送される。
【００９０】
そして、原稿Ｇがスイッチバックパス３９に完全に進入すると、スイッチバックローラ４２に回転力を受けて、原稿が終端４０へ向けて搬送される。その後、原稿Ｇはスイッチバックローラ４２及びピンチローラ４３のニップから離れ、スイッチバックパス３９の終端４０からＡＤＦ３の外側へ露出した状態となる。このとき、原稿Ｇは、終端４０に設けられた原稿押さえ２８によって狭持された状態で静止する。その際、原稿Ｇの露出した先端側は原稿支持部４１により支持される。その後、原稿Ｇが最終頁原稿の場合は一連の画像読取動作が終了する。なお、Ａ５サイズ以下の次なる原稿が有る場合は、上述の動作が繰り返される。
【００９１】
つぎに、図１８〜図２９を参照しながら、本画像読取装置１による両面読取りの動作とともに、制御部１００によって両面読取時に実行される処理手順について説明する。ここに、図１８は両面読取時に制御部１００により実行される処理手順を示すフローチャートであり、図１９から図２９は両面読取時の画像読取動作を説明する模式図である。なお、図１８中のＳ１０１、Ｓ１０２、…は処理手順（ステップ）の番号を示す。
【００９２】
原稿Ｇの給紙前は、図１９に示すように、案内フラップ４６は、合流位置３８における搬送経路を、搬送路３２の給紙トレイ３０側から読取位置側へ連続する位置にある。なお、図中において原稿Ｇに「１」で示された面は、両面読取りにおいて先に読み取られる第１面であり、「２」で示された面は後に読み取られる第２面であり、第１面と第２面とは表裏面の関係にある。
【００９３】
まず、画像読取装置１に両面読取開始の指示が入力されると（Ｓ１０１のＹｅｓ側）、続いて、片面読取りの場合と同様に、第１フロントセンサ５０により給紙トレイ３０上に原稿Ｇが載置されているか否かが検知される（Ｓ１０２）。給紙トレイ３０上に原稿Ｇが載置されていない場合には、画像読取装置１の図示しない表示部に「原稿なし」のエラー表示が行われる（Ｓ１０３）。一方、給紙トレイ３０に原稿Ｇが載置されている場合は、第１サイズセンサ６１、第２サイズセンサ６２、第３サイズセンサ６３から出力されるオン信号又はオフ信号が読み取られ、その情報がＲＡＭ１０３に一時的に記憶された後に、キャリッジ用モータ１１２や原稿搬送用モータ１１３が駆動されて、吸入ローラ３３、分離ローラ３４、搬送ローラ３５、排出ローラ３６、及びスイッチバックローラ４２が所定のタイミングで回転駆動される（Ｓ１０４）。
【００９４】
また、原稿搬送用モータ１１３が駆動されることで、アーム２９が下方へ下がるとともに、吸入ローラ３３及び分離ローラ３４が回転されることにより、該原稿Ｇは搬送路３２へ繰り込まれる。搬送路３２では、搬送ローラ３５が原稿Ｇを上流側から下流側へ原稿Ｇを搬送するように回転され、給紙トレイ３０から搬送路３２へ給紙された原稿Ｇは、合流位置３８を案内フラップ４６に案内されて、搬送路３２の読取位置側へ向かって搬送される。
【００９５】
図２０に示すように、搬送路３２へ給紙された原稿Ｇが、搬送路３２の合流位置３８と分岐位置４５との間に至ると、案内フラップ４８が揺動されて、搬送経路が切り替えられる（Ｓ１０５）。詳細には、原稿Ｇの後端が第２フロントセンサ５１により検知された後、所定時間経過後に原稿Ｇの後端が合流位置３８を通過する。したがって、第２フロントセンサ５１の検知信号と搬送ローラ３５による搬送距離又は時間のカウントにより、原稿Ｇが搬送路３２の合流位置３８と分岐位置４５との間に至ったことが判断できる。その後、案内フラップ４８は、フラップ用モータ１１１の駆動によって、分岐位置４５の搬送経路を搬送路３２の読取位置側からバイパス４４へ通ずるように切り替えられる。
【００９６】
なお、本実施の形態では、原稿Ｇが搬送路３２の合流位置３８と分岐位置４５との間に至った後に、案内フラップ４８が、分岐位置４５における搬送経路を、搬送路３２の読取位置側から排紙トレイ３１側へ連続するように切り替えられるものとしたが、画像読取装置１に両面読取り及び読取開始が入力されて、原稿Ｇが搬送路３２に給紙される際に、案内フラップ４８が、分岐位置４５の搬送経路を搬送路３２の読取位置側からバイパス４４へ通ずるように切り替えられてもよい。これにより、搬送路３２の合流位置３８から読取位置を経て分岐位置４５に至るまでの搬送経路の長さが、読取り可能な最大原稿の搬送方向の長さより短い場合に、最大サイズの原稿Ｇの後端が合流位置３８を通過する際に、該原稿Ｇの先端をバイパス４４へ案内することができる。
【００９７】
そして、原稿Ｇが搬送路３２の湾曲部３２Ｂにより下側へ反転するように搬送され、その先端がリアセンサ５２に検知され、該先端が読取位置に到達すれば、画像読取ユニット２２により、原稿Ｇの第１面の画像読取りが開始される（Ｓ１０６）。また、図２１に示すように、第１面を読み取られた後の原稿Ｇは、案内フラップ４８に案内されて、分岐位置４５を搬送路３２からバイパス４４へ進入する。なお、原稿Ｇの後端がリアセンサ５２に検知されて、該後端が読取位置に到達すれば、画像読取ユニット２２は原稿Ｇの第１面の画像読取りを終了する（Ｓ１０７）。
【００９８】
バイパス４４に進入した原稿Ｇは、図２２に示すように、案内フラップ４６に当接して案内フラップ４６を上方へ押し上げて、合流位置３８をバイパス４４からスイッチバックパス３９に進入する。つまり、案内フラップ４６は、合流位置３８においてバイパス４４からスイッチバックパス３９への原稿Ｇの直進を許容するように原稿Ｇを案内する。バイパス４４からスイッチバックパス３９への搬送経路は略直線状なので、合流位置３８において原稿Ｇは搬送路３２の給紙トレイ３０側へ進入することなく、スイッチバックパス３９に進入するように直進する。そして、原稿Ｇは、スイッチバックローラ４２及びピンチローラ４３にニップされ、スイッチバックローラ４２の回転によりスイッチバックパス３９を終端４０側へ搬送される。
【００９９】
そして、原稿Ｇがスイッチバックパス３９に完全に進入した後、スイッチバックローラ４２が停止される。詳細には、図２２に示したように、バイパス４４を搬送される原稿Ｇの後端がスイッチバックセンサ５３により検知された後、所定時間経過後に原稿Ｇの後端が合流位置３８を通過する。したがって、スイッチバックセンサ５３の検知信号と搬送ローラ３５による搬送距離又は搬送時間のカウントにより、原稿Ｇがスイッチバックパス３９に完全に進入したことが判断できる。その後、スイッチバックローラ４２が停止されることにより、図２３に示すように、原稿Ｇがスイッチバックローラ４２とピンチローラ４３にニップされた状態で停止する。この際、原稿Ｇの一部は、スイッチバックパス３９の終端４０からＡＤＦ３の外側へ露出した状態となっているが、露出した原稿Ｇの一部分は原稿支持部４１により支持される。
【０１００】
また、原稿Ｇが合流位置３８を通過して案内フラップ４６から離れることにより、案内フラップ４６は下側へ回動して、合流位置３８における搬送経路を、スイッチバックパス３９から搬送路３２の読取位置上流側へ通ずる位置となる。その後、スイッチバックローラ４２が逆方向に回転され、これを受けて、原稿Ｇは、スイッチバックパス３９を搬送路３２側へ戻るように搬送される（Ｓ１０８）。
【０１０１】
図２４に示すように、スイッチバックパス３９から戻された原稿Ｇは、合流位置３８を直進しようとするが、バイパス４４への搬送経路は案内フラップ４６により閉鎖されているので、該案内フラップ４６に案内されて、スイッチバックパス３９から搬送路３２の読取位置上流側へ進入する。スイッチバックパス３９から搬送路３２の給紙トレイ３０側への搬送経路は、スイッチバックパス３９から搬送路３２の読取位置上流側への搬送経路より鋭角に折れ曲がっているので、スイッチバックパス３９から戻された原稿Ｇが、合流位置３８において搬送路３２の給紙トレイ３０側へ進入することはない。このように、原稿Ｇがスイッチバックパス３９から搬送路３２へ戻されることにより、原稿Ｇは、最初に搬送路３２を搬送された状態から、先端と後端とが逆転した状態で搬送路３２に再送される。このようにして、原稿Ｇがスイッチバック搬送される。そして、原稿Ｇは、第２面を読取位置に対向させるようにして搬送路３２を搬送される。
【０１０２】
そして、図２５に示すように、原稿Ｇの先端がリアセンサ５２に検知され、該先端が読取位置に到達すれば、図２６に示すように、画像読取ユニット２２により、原稿Ｇの第２面の画像読取りが開始される（Ｓ１０９）。また、第２面を読み取られた後の原稿Ｇは、案内フラップ４８に案内されて、分岐位置４５を搬送路３２からバイパス４４へ進入する。なお、原稿Ｇの後端がリアセンサ５２に検知されて、該後端が読取位置に到達すれば、画像読取ユニット２２は原稿Ｇの第２面の画像読取りを終了する（Ｓ１１０）。
【０１０３】
バイパス４４に進入した原稿Ｇは、案内フラップ４６を押し上げて、合流位置３８をバイパス４４からスイッチバックパス３９に進入し、図２７に示すように、原稿Ｇがスイッチバックパス３９に完全に進入した後、スイッチバックローラ４２が停止する。また、案内フラップ４６は、原稿Ｇが通過することにより、合流位置３８における搬送経路を、スイッチバックパス３９から搬送路３２の読取位置側へ通ずる位置へ戻る。その後、スイッチバックローラ４２が逆方向に回転され、これを受けて、原稿Ｇは、スイッチバックパス３９を搬送路３２側へ戻されて、先端と後端とが再び逆転される（Ｓ１１１）。
【０１０４】
そして、片面読取りの場合と同様に、原稿ＧがＡ５サイズよりも大きく（Ｓ１１２のＮｏ側）、更に原稿Ｇが最終頁原稿でない場合は（Ｓ１１３のＮｏ側）、原稿Ｇが搬送路３２の合流位置３８と分岐位置４５との間に至った後に、案内フラップ４８は、分岐位置４５における搬送経路を、搬送路３２の読取位置側から排紙トレイ３１側へ切り替える（Ｓ１１４）。これにより、図２８に示すように、原稿Ｇは分岐位置４５を、案内フラップ４８に案内される。そして、図２９に示すように、搬送路３２の排紙トレイ３１側へ搬送され、第１面を下にした状態で排紙トレイ３１に排紙される。その後、給紙トレイ３０にセットされている次の原稿Ｇが搬送路３２へ給紙され、上述の一連の動作が繰り返されることにより、給紙トレイ３０上の原稿Ｇが１枚ずつ搬送されて、両面画像読取りが行われる。そして、排紙トレイ３１へは、第１面を下にした状態で原稿Ｇが順次排紙されるので、給紙トレイ３０に複数枚の原稿Ｇを積載した状態が維持される。
【０１０５】
一方、原稿ＧのサイズがＡ５サイズ以下であり（Ｓ１１２のＹｅｓ側）、或いは原稿Ｇ最終頁原稿である場合は（Ｓ１１３のＹｅｓ側）、案内フラップ４８は現状の位置に維持される。即ち、案内フラップ４８は、分岐位置４５の搬送経路を搬送路３２の読取位置側からバイパス４４へ通ずるような位置に切り換えられたまま維持される。これにより、読取位置を通過した原稿Ｇは、図２１に示したように、案内フラップ４８に案内されて、分岐位置４５を搬送路３２からバイパス４４へ進入する。バイパス４４に進入した原稿Ｇは、図２２に示したように、案内フラップ４６を上方へ押し上げて、合流位置３８をバイパス４４からスイッチバックパス３９に進入する。
【０１０６】
三度、スイッチバックパス３９に進入した原稿Ｇは、スイッチバックローラ４２及びピンチローラ４３にニップされ、図２３に示したように、スイッチバックローラ４２の回転によってスイッチバックパス３９を終端４０側へ搬送される。そして、原稿Ｇがスイッチバックパス３９に完全に進入すると、スイッチバックローラ４２は逆回転制御されずに、原稿を終端４０へ向けて更に搬送するように駆動制御される（Ｓ１１５）。これにより、原稿Ｇはスイッチバックローラ４２及びピンチローラ４３のニップから離れ、スイッチバックパス３９の終端４０からＡＤＦ３の外側へ露出した状態となる。この場合、原稿Ｇは、終端４０に設けられた原稿押さえ２８によって狭持された状態で静止する。その際、原稿Ｇの露出した先端側は原稿支持部４１により支持される。その後、原稿Ｇが最終頁原稿の場合は一連の画像読取動作が終了する。、次なる原稿が有る場合は、上述の動作が繰り返される。なお、Ａ５サイズ以下の次なる原稿が有る場合は、上述の動作が繰り返される。
【０１０７】
このように、第１面又は第２面を読み取った後の原稿Ｇを搬送路３２へ再送するためのスイッチバックパス３９を備えた本画像読取装置１において、原稿Ｇが最終頁原稿である場合は、該最終頁原稿が排紙トレイ３１へ排出されず、バイパス４４及びスイッチバックパス３９を通じて終端４０から装置外へ露出されるため、利用者に対して原稿を直接視認させて、視覚的に原稿の存在を強く印象付けることができ、排紙トレイ３１に排出された原稿の取り忘れ防止を好適に喚起させることができる。その結果、原稿の取り忘れが減少される。
【０１０８】
また、原稿Ｇが比較的小サイズのＡ５サイズ以下である場合は、原稿Ｇが最終頁原稿であるかどうかにかかわらず、給紙されたすべての原稿Ｇが終端４０から装置外に排出されるため、原稿サイズが小さい場合における排紙トレイ３１からの原稿の取り出しの煩わしさを解消することができる。
【０１０９】
なお、上記実施の形態は本発明の一例にすぎず、本発明の要旨を変更しない範囲で、実施の形態を適宜変更できることは言うまでもない。
【図面の簡単な説明】
【０１１０】
【図１】画像読取装置１の主要な構成を示す縦断面図。
【図２】原稿のサイズを検出する方法を説明する模式図。
【図３】原稿押さえ２８の構成を示す部分拡大図。
【図４】合流位置３８付近の構成を示す部分拡大図。
【図５】分岐位置４５付近の構成を示す部分拡大図。
【図６】第１フロントセンサ５０の構成を示す部分拡大図。
【図７】制御部１００の構成を示すブロック図。
【図８】片面読取時に制御部１００により実行される処理手順を示すフローチャート。
【図９】片面読取時の画像読取動作を説明する模式図。
【図１０】片面読取時の画像読取動作を説明する模式図。
【図１１】片面読取時の画像読取動作を説明する模式図。
【図１２】片面読取時の画像読取動作を説明する模式図。
【図１３】片面読取時の画像読取動作を説明する模式図。
【図１４】片面読取時の画像読取動作を説明する模式図。
【図１５】片面読取時の画像読取動作を説明する模式図。
【図１６】片面読取時の画像読取動作を説明する模式図。
【図１７】片面読取時の画像読取動作を説明する模式図。
【図１８】両面読取時に制御部１００により実行される処理手順を示すフローチャート。
【図１９】両面読取時の画像読取動作を説明する模式図。
【図２０】両面読取時の画像読取動作を説明する模式図。
【図２１】両面読取時の画像読取動作を説明する模式図。
【図２２】両面読取時の画像読取動作を説明する模式図。
【図２３】両面読取時の画像読取動作を説明する模式図。
【図２４】両面読取時の画像読取動作を説明する模式図。
【図２５】両面読取時の画像読取動作を説明する模式図。
【図２６】両面読取時の画像読取動作を説明する模式図。
【図２７】両面読取時の画像読取動作を説明する模式図。
【図２８】両面読取時の画像読取動作を説明する模式図。
【図２９】両面読取時の画像読取動作を説明する模式図。
【符号の説明】
【０１１１】
１・・・画像読取装置
２・・・原稿載置台
３・・・ＡＤＦ（原稿搬送装置）
４・・・原稿カバー
２２・・・画像読取ユニット（画像読取手段）
２８・・・原稿押さえ（原稿保持部材）
３０・・・給紙トレイ（原稿載置部）
３１・・・排紙トレイ（原稿排出部）
３２・・・搬送路（第１搬送路）
３８・・・分岐位置（第２分岐位置）
３９・・・スイッチバックパス（スイッチバック搬送路）
４０・・・終端（開口部）
４１・・・原稿支持部
４４・・・バイパス（第２搬送路）
４５・・・分岐位置（第１分岐位置）
４６，４８・・・案内フラップ（案内部材）
５０・・・第１フロントセンサ（第１検知手段）
５１・・・第２フロントセンサ
５２・・・リアセンサ
５３・・・スイッチバックセンサ
５４・・・第１サイズセンサ（第２検知手段）
５５・・・第２サイズセンサ（第２検知手段）
５６・・・第３サイズセンサ（第２検知手段）
１１１・・・フラップ用モータ（駆動手段）
【図１】
0004687350.tif 000002
【図２】
0004687350.tif 000003
【図３】
0004687350.tif 000004
【図４】
0004687350.tif 000005
【図５】
0004687350.tif 000006
【図６】
0004687350.tif 000007
【図７】
0004687350.tif 000008
【図８】
0004687350.tif 000009
【図９】
0004687350.tif 000010
【図１０】
0004687350.tif 000011
【図１１】
0004687350.tif 000012
【図１２】
0004687350.tif 000013
【図１３】
0004687350.tif 000014
【図１４】
0004687350.tif 000015
【図１５】
0004687350.tif 000016
【図１６】
0004687350.tif 000017
【図１７】
0004687350.tif 000018
【図１８】
0004687350.tif 000019
【図１９】
0004687350.tif 000020
【図２０】
0004687350.tif 000021
【図２１】
0004687350.tif 000022
【図２２】
0004687350.tif 000023
【図２３】
0004687350.tif 000024
【図２４】
0004687350.tif 000025
【図２５】
0004687350.tif 000026
【図２６】
0004687350.tif 000027
【図２７】
0004687350.tif 000028
【図２８】
0004687350.tif 000029
【図２９】
0004687350.tif 000030